【手続補正書】
【提出日】平成25年8月20日(2013.8.20)
【手続補正１】
【補正対象書類名】特許請求の範囲
【補正対象項目名】全文
【補正方法】変更
【補正の内容】
【特許請求の範囲】
【請求項１】
直列に接続された複数の電池セルを備えた組電池と、
直列に接続され、各々が前記複数の電池セルのうち所定数の電池セルの電圧を第１の抵抗回路を介して検出する複数の電圧監視装置を備えた電圧監視システムと、
を有する組電池システムであって、
前記電圧監視装置は、
自己よりも下位の電池セルの電圧を検出する下位電圧監視装置との通信を、第１の上位基準電圧と、前記第１の上位基準電圧よりも小さい第１の下位基準電圧との間の電圧レベルに基づいて行う第１の通信回路と、
自己よりも上位の電池セルの電圧を検出する上位電圧監視装置との通信を、前記上位電圧監視装置から供給される前記第１の上位基準電圧としての第２の上位基準電圧と、前記第２の上位基準電圧よりも小さく前記第１の下位基準電圧よりも大きい第２の下位基準電圧との間の電圧レベルに基づいて行う第２の通信回路と、
前記組電池から前記第１の下位基準電圧が入力される第１の端子と、
前記第１の上位基準電圧が出力される第２の端子と、
前記組電池から前記第２の下位基準電圧が入力される第３の端子と、
前記上位電圧監視装置の前記第２の端子から出力された前記第１の上位基準電圧が入力される第４の端子と、
を有し、
前記組電池と前記第１の端子とを接続する第１の配線、前記組電池と前記第３の端子とを接続する第２の配線、及び前記第４の端子と前記上位電圧監視装置の前記第２の端子とを接続する第３の配線のそれぞれの抵抗は、前記組電池と前記電圧監視装置とを前記第１の抵抗回路を介して接続する第４の配線の抵抗よりも小さいことを特徴とする組電池システム。
【請求項２】
前記第１の上位基準電圧と前記第１の下位基準電圧との差分は、前記第２の上位基準電圧と前記第２の下位基準電圧との差分と等しいことを特徴とする請求項１に記載の組電池システム。
【請求項３】
前記第４の配線には、前記第１の抵抗回路を構成の一部とするフィルタ回路が形成されていることを特徴とする請求項１又は２に記載の組電池システム。
【請求項４】
単一の前記電圧監視装置内において、前記第１の上位基準電圧は前記第２の上位基準電圧よりも小さく、前記第１の下位基準電圧は前記第２の下位基準電圧よりも小さいことを特徴とする請求項１乃至３のいずれか１項に記載の組電池システム。
【請求項５】
前記第４の端子には、単一の前記電圧監視装置が検出対象とする前記電池セルのうちの最上位の電位が前記第２の下位基準電圧として入力されることを特徴とする請求項１乃至４のいずれか１項に記載の組電池システム。
【請求項６】
前記第１の通信回路にて受信した信号の電圧レベルを前記第２の通信回路が備える電圧範囲に変換し、又は前記第２の通信回路にて受信した信号の電圧レベルを前記第１の通信回路が備える電圧範囲に変換する信号レベル変換回路を有することを特徴とする請求項１乃至５のいずれか１項に記載の組電池システム。
【請求項７】
前記第１の上位基準電圧を、前記第１の通信回路及び前記第２の端子に供給する電圧生成回路を有することを特徴とする請求項１乃至６のいずれか１項に記載の組電池システム。
【請求項８】
前記組電池と前記第１の端子とは前記第１の配線によって直接接続されていることを特徴とする請求項１乃至７のいずれか１項に記載の組電池システム。
【請求項９】
前記組電池と前記第３の端子とは前記第２の配線によって直接接続されていることを特徴とする請求項１乃至８のいずれか１項に記載の組電池システム。
【請求項１０】
前記第４の端子と前記上位電圧監視装置の前記第２の端子とは前記第３の配線によって直接接続されていることを特徴とする請求項１乃至９のいずれか１項に記載の組電池システム。
【請求項１１】
直列に接続され、且つ各々が、直列に接続された前記複数の電池セルのうち所定数の電池セルの電圧を第１の抵抗回路を介して検出する複数の電圧監視装置を備えた電圧監視システムであって、
前記電圧監視装置は、
自己よりも下位の電池セルの電圧を検出する下位電圧監視装置との通信を、第１の上位基準電圧と、前記第１の上位基準電圧よりも小さい第１の下位基準電圧との間の電圧レベルに基づいて行う第１の通信回路と、
自己よりも上位の電池セルの電圧を検出する上位電圧監視装置との通信を、前記上位電圧監視装置から供給される前記第１の上位基準電圧としての第２の上位基準電圧と、前記第２の上位基準電圧よりも小さく前記第１の下位基準電圧よりも大きい第２の下位基準電圧との間の電圧レベルに基づいて行う第２の通信回路と、
前記組電池から前記第１の下位基準電圧が入力される第１の端子と、
前記第１の上位基準電圧が出力される第２の端子と、
前記組電池から前記第２の下位基準電圧が入力される第３の端子と、
前記上位電圧監視装置の前記第２の端子から出力された前記第１の上位基準電圧が入力される第４の端子と、
を有し、
前記組電池と前記第１の端子とを接続する第１の配線、前記組電池と前記第３の端子とを接続する第２の配線、及び前記第４の端子と前記上位電圧監視装置の前記第２の端子とを接続する第３の配線のそれぞれの抵抗は、前記組電池と前記電圧監視装置とを前記第１の抵抗回路を介して接続する第４の配線の抵抗よりも小さいことを特徴とする電圧監視システム。
【請求項１２】
直列に接続され、且つ各々が、直列に接続された前記複数の電池セルのうち所定数の電池セルの電圧を第１の抵抗回路を介して検出する複数の電圧監視装置によって構成される電圧監視システムに含まれる一の前記電圧監視装置は、
自己よりも下位の電池セルの電圧を検出する下位電圧監視装置との通信を、第１の上位基準電圧と、前記第１の上位基準電圧よりも小さい第１の下位基準電圧との間の電圧レベルに基づいて行う第１の通信回路と、
自己よりも上位の電池セルの電圧を検出する上位電圧監視装置との通信を、前記上位電圧監視装置から供給される前記第１の上位基準電圧としての第２の上位基準電圧と、前記第２の上位基準電圧よりも小さく前記第１の下位基準電圧よりも大きい第２の下位基準電圧との間の電圧レベルに基づいて行う第２の通信回路と、
前記組電池から前記第１の下位基準電圧が入力される第１の端子と、
前記第１の上位基準電圧が出力される第２の端子と、
前記組電池から前記第２の下位基準電圧が入力される第３の端子と、
前記上位電圧監視装置の前記第２の端子から出力された前記第１の上位基準電圧が入力される第４の端子と、
を有し、
前記第１の端子には前記組電池が第１の配線を介して接続され、
前記第３の端子には前記組電池が第２の配線を介して接続され、
前記第４の端子には、前記上位電圧監視装置の前記第２の端子が第３の配線を介して接続され、
前記第１、第２、及び第３の配線のそれぞれの抵抗は、前記組電池と前記電圧監視装置とを前記第１の抵抗回路を介して接続される第４の配線の抵抗よりも小さいことを特徴とする電圧監視装置。
【手続補正２】
【補正対象書類名】明細書
【補正対象項目名】発明の名称
【補正方法】変更
【補正の内容】
【発明の名称】組電池システム、電圧監視システム、及び電圧監視装置
【手続補正３】
【補正対象書類名】明細書
【補正対象項目名】０００１
【補正方法】変更
【補正の内容】
【０００１】
本発明は、組電池システム、電圧監視システム、及び電圧監視装置に関するものである。
【手続補正４】
【補正対象書類名】明細書
【補正対象項目名】００２２
【補正方法】変更
【補正の内容】
【００２２】
本発明は、上述した問題を解決するために提案されたものであり、電流変動によるバッテリー電圧の変動に依らず、信号の通信を正常に行うことができる、組電池システム、電圧監視システム、及び電圧監視装置を提供することを目的とする。
【手続補正５】
【補正対象書類名】明細書
【補正対象項目名】００２３
【補正方法】変更
【補正の内容】
【００２３】
上記目的を達成するために、本発明の組電池システムは、直列に接続された複数の電池セルを備えた組電池と、直列に接続され、各々が前記複数の電池セルのうち所定数の電池セルの電圧を第１の抵抗回路を介して検出する複数の電圧監視装置を備えた電圧監視システムと、を有する組電池システムであって、前記電圧監視装置は、自己よりも下位の電池セルの電圧を検出する下位電圧監視装置との通信を、第１の上位基準電圧と、前記第１の上位基準電圧よりも小さい第１の下位基準電圧との間の電圧レベルに基づいて行う第１の通信回路と、自己よりも上位の電池セルの電圧を検出する上位電圧監視装置との通信を、前記上位電圧監視装置から供給される前記第１の上位基準電圧としての第２の上位基準電圧と、前記第２の上位基準電圧よりも小さく前記第１の下位基準電圧よりも大きい第２の下位基準電圧との間の電圧レベルに基づいて行う第２の通信回路と、前記組電池から前記第１の下位基準電圧が入力される第１の端子と、前記第１の上位基準電圧が出力される第２の端子と、前記組電池から前記第２の下位基準電圧が入力される第３の端子と、前記上位電圧監視装置の前記第２の端子から出力された前記第１の上位基準電圧が入力される第４の端子と、を有し、前記組電池と前記第１の端子とを接続する第１の配線、前記組電池と前記第３の端子とを接続する第２の配線、及び前記第４の端子と前記上位電圧監視装置の前記第２の端子とを接続する第３の配線のそれぞれの抵抗は、前記組電池と前記電圧監視装置とを前記第１の抵抗回路を介して接続する第４の配線の抵抗よりも小さいことを特徴とする。
【手続補正６】
【補正対象書類名】明細書
【補正対象項目名】００２４
【補正方法】変更
【補正の内容】
【００２４】
本発明の電圧監視システムは、直列に接続され、且つ各々が、直列に接続された前記複数の電池セルのうち所定数の電池セルの電圧を第１の抵抗回路を介して検出する複数の電圧監視装置を備えた電圧監視システムであって、前記電圧監視装置は、自己よりも下位の電池セルの電圧を検出する下位電圧監視装置との通信を、第１の上位基準電圧と、前記第１の上位基準電圧よりも小さい第１の下位基準電圧との間の電圧レベルに基づいて行う第１の通信回路と、自己よりも上位の電池セルの電圧を検出する上位電圧監視装置との通信を、前記上位電圧監視装置から供給される前記第１の上位基準電圧としての第２の上位基準電圧と、前記第２の上位基準電圧よりも小さく前記第１の下位基準電圧よりも大きい第２の下位基準電圧との間の電圧レベルに基づいて行う第２の通信回路と、前記組電池から前記第１の下位基準電圧が入力される第１の端子と、前記第１の上位基準電圧が出力される第２の端子と、前記組電池から前記第２の下位基準電圧が入力される第３の端子と、前記上位電圧監視装置の前記第２の端子から出力された前記第１の上位基準電圧が入力される第４の端子と、を有し、前記組電池と前記第１の端子とを接続する第１の配線、前記組電池と前記第３の端子とを接続する第２の配線、及び前記第４の端子と前記上位電圧監視装置の前記第２の端子とを接続する第３の配線のそれぞれの抵抗は、前記組電池と前記電圧監視装置とを前記第１の抵抗回路を介して接続する第４の配線の抵抗よりも小さいことを特徴とする。
【手続補正７】
【補正対象書類名】明細書
【補正対象項目名】００２５
【補正方法】変更
【補正の内容】
【００２５】
本発明の電圧監視装置は、直列に接続され、且つ各々が、直列に接続された前記複数の電池セルのうち所定数の電池セルの電圧を第１の抵抗回路を介して検出する複数の電圧監視装置によって構成される電圧監視システムに含まれる一の前記電圧監視装置は、自己よりも下位の電池セルの電圧を検出する下位電圧監視装置との通信を、第１の上位基準電圧と、前記第１の上位基準電圧よりも小さい第１の下位基準電圧との間の電圧レベルに基づいて行う第１の通信回路と、自己よりも上位の電池セルの電圧を検出する上位電圧監視装置との通信を、前記上位電圧監視装置から供給される前記第１の上位基準電圧としての第２の上位基準電圧と、前記第２の上位基準電圧よりも小さく前記第１の下位基準電圧よりも大きい第２の下位基準電圧との間の電圧レベルに基づいて行う第２の通信回路と、前記組電池から前記第１の下位基準電圧が入力される第１の端子と、前記第１の上位基準電圧が出力される第２の端子と、前記組電池から前記第２の下位基準電圧が入力される第３の端子と、前記上位電圧監視装置の前記第２の端子から出力された前記第１の上位基準電圧が入力される第４の端子と、を有し、前記第１の端子には前記組電池が第１の配線を介して接続され、前記第３の端子には前記組電池が第２の配線を介して接続され、前記第４の端子には、前記上位電圧監視装置の前記第２の端子が第３の配線を介して接続され、前記第１、第２、及び第３の配線のそれぞれの抵抗は、前記組電池と前記電圧監視装置とを前記第１の抵抗回路を介して接続される第４の配線の抵抗よりも小さいことを特徴とする。
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】